(57)【要約】【課題】物品に関する物品情報を、物品を識別するための識別情報にリアルタイムに関連付けて記憶することができるようにする。【解決手段】本発明に係る情報処理端末に適用可能なカメラ付ディジタル携帯電話機２においては、ＲＦＩＤリーダ５９は、物品を識別するための識別情報を読み取り、主制御部４１は、物品に関する情報である物品情報を取得し、記憶部５７は、ＲＦＩＤリーダ５９により読み取られた識別情報と、取得された物品情報を関連付けて記憶する。【選択図】  図４
2008020941.tif 000002
【特許請求の範囲】
【請求項１】
物品を識別するための識別情報を無線通信によって読み取る読取手段と、
前記物品に関する情報である物品情報を取得する第１の取得手段と、
前記読取手段により読み取られた前記識別情報と、前記第１の取得手段により取得された前記物品情報を関連付けて記憶する記憶手段とを備えることを特徴とする情報処理端末。
【請求項２】
前記情報処理端末にネットワークを介して接続される、前記識別情報に予め対応付けられた前記物品に関する既成情報である物品既成情報を管理する情報管理装置に、前記識別情報を送信する第１の送信手段と、
前記情報管理装置から前記物品既成情報を取得する第２の取得手段とをさらに備えることを特徴とする請求項１に記載の情報処理端末。
【請求項３】
前記物品を撮像する撮像手段をさらに備え、
前記第１の取得手段は、前記撮像手段により撮像された前記物品に関する画像情報を前記物品情報として取得することを特徴とする請求項１に記載の情報処理端末。
【請求項４】
前記読取手段による前記識別情報の読み取りを開始する読み取りボタンが押されたか否かを判定する第１の判定手段と、
前記撮像手段により前記物品の撮像を開始する撮像ボタンが押されたか否かを判定する第２の判定手段とをさらに備え、
前記第１の判定手段により、前記読取手段による前記識別情報の読み取りを開始する読み取りボタンが押されたと判定された場合、前記読取手段は、前記識別情報を読み取り、
前記第２の判定手段により、前記撮像手段により前記物品の撮像を開始する撮像ボタンが押されたと判定された場合、前記撮像手段は、前記物品を撮像することを特徴とする請求項３に記載の情報処理端末。
【請求項５】
前記読取手段による前記識別情報の読み取りと前記撮像手段により前記物品の撮像を開始するボタンが押されたか否かを判定する判定手段をさらに備え、
前記判定手段により、前記読取手段による前記識別情報の読み取りと前記撮像手段により前記物品の撮像を開始するボタンが押されたと判定された場合、前記読取手段は前記識別情報を読み取り、前記撮像手段は前記物品を撮像することを特徴とする請求項３に記載の情報処理端末。
【請求項６】
前記物品情報の入力を受け付ける入力受付手段をさらに備え、
前記第１の取得手段は、前記入力受付手段により入力が受け付けられた前記物品情報を取得することを特徴とする請求項１に記載の情報処理端末。
【請求項７】
前記情報処理端末にネットワークを介して接続される情報処理装置に、少なくとも、前記記憶手段により関連付けて記憶された前記識別情報と前記物品情報を送信する第２の送信手段をさらに備えることを特徴とする請求項１に記載の情報処理端末。
【発明の詳細な説明】
【技術分野】
【０００１】
本発明は情報処理端末に係り、特に、ＲＦＩＤリーダを用いてＩＤ情報を読み取ることができるようにした情報処理端末に関する。
【背景技術】
【０００２】
近年、携帯電話機にＲＦＩＤ（Radio Frequency Identification）リーダを搭載し、このＲＦＩＤリーダを用いて機器や荷物、物品などに付加されたＲＦＩＤからＩＤ情報を読み取る方法が提案されている（例えば、特許文献１参照）。
【０００３】
従来のＲＦＩＤシステムにおいては、ＲＦＩＤリーダを用いて読み取られたＩＤ情報を有線回線を介してタグ管理サーバに送信し、タグ管理サーバから有線回線を介してＩＤ情報に予め対応付けられている機器や荷物、物品などに関する情報（以下、「物品既成情報」という。）を受信し、受信された物品既成情報をＲＦＩＤリーダに表示する。一方、携帯電話機を用いてＲＦＩＤからＩＤ情報を読み取る方法においては、ＲＦＩＤリーダによって読み取られたＩＤ情報を用いて、携帯電話機に備えられる無線回線を介してタグ管理サーバから物品既成情報を受信し、携帯電話機に備えられた表示部に表示させることが可能となる。すなわち、携帯電話機にＲＦＩＤリーダを搭載することで、有線回線を介すことなく、タグ管理サーバとの間でデータの送受信を行うことが可能となる。
【０００４】
例えば特許文献１に提案されている方法では、携帯電話機は、所定の操作により、周辺のＲＦＩＤからＩＤ情報を取得し、取得されたＩＤ情報に基づいてタグ管理サーバに問い合わせる。タグ管理サーバは、問い合わされたＩＤ情報に対応するタグ管理情報を携帯電話機に提供する。また、物品管理サーバは、タグ管理サーバからの問い合わせに応答して、物品既成情報を携帯電話機に提供する。
【０００５】
これにより、場所に関係なく、所望とする物品に関する情報を容易に取得することができる。
【特許文献１】特開２００３−１５７４７７号公報
【発明の開示】
【発明が解決しようとする課題】
【０００６】
ところで、タグ管理サーバに管理されている物品既成情報には、それぞれのＩＤ情報に対応する物品に関する種々の情報（例えば物品の原材料名や生産者名など）が含まれているが、これらの情報はそもそもすでに決まった既成情報であるとともに、不正な改ざんなどによって虚偽の情報がユーザ（消費者）に提供されることがないように、タグ管理サーバにおいて厳密に管理されている。すなわち、タグ管理サーバに管理されている物品既成情報は、その性質上、何ら更新されない。
【０００７】
従って、携帯電話機に搭載されたＲＦＩＤリーダを用いて物品既成情報を表示部に表示させたとしても、表示部に表示される物品既成情報には、現在の物品の品質に関する情報や価格に関する情報などがまったく反映されておらず、ユーザにとって使い勝手が悪いという課題があった。一方、携帯電話機にＲＦＩＤリーダを搭載すると、携帯電話機のコストアップや大型化の原因となってしまい、携帯電話機にわざわざＲＦＩＤリーダを搭載しても、デメリットが多いのに対してメリットが少ない。
【０００８】
本発明は、このような状況に鑑みてなされてものであり、物品に関する情報である物品情報を、物品を識別するための識別情報にリアルタイムに関連付けて記憶することができる情報処理端末を提供することを目的とする。
【課題を解決するための手段】
【０００９】
本発明の情報処理端末は、上述した課題を解決するために、物品を識別するための識別情報を無線通信によって読み取る読取手段と、物品に関する情報である物品情報を取得する第１の取得手段と、読取手段により読み取られた識別情報と、第１の取得手段により取得された物品情報を関連付けて記憶する記憶手段とを備えることを特徴とする。
【００１０】
本発明の情報処理端末においては、物品を識別するための識別情報が読み取られ、物品に関する情報である物品情報が取得され、読み取られた識別情報と、取得された物品情報が関連付けて記憶される。
【発明の効果】
【００１１】
本発明によれば、物品に関する物品情報を、物品を識別するための識別情報にリアルタイムに関連付けて記憶することができる。
【発明を実施するための最良の形態】
【００１２】
以下、本発明の実施の形態について、図面を参照しながら説明する。
【００１３】
図１は、本発明を適用した情報処理システム１の構成を表している。
【００１４】
図１に示されるように、本発明に係る情報処理端末に適用可能なカメラ付ディジタル携帯電話機２には、図示せぬＲＦＩＤリーダ（例えば、図４のＲＦＩＤリーダ５９）が内蔵されており、ユーザが店Ｐ（例えば、スーパーマーケットなど）に買い物に行ったとき、カメラ付ディジタル携帯電話機２は、内蔵されたＲＦＩＤリーダを用いて、にんじんなどの物品３に貼付（あるいは内蔵）された図示せぬＲＦＩＤ（例えば、図６のＲＦＩＤ７１）から物品３を識別するためのＩＤ情報（識別情報）を読み取る。勿論、カメラ付ディジタル携帯電話機２に内蔵されたＲＦＩＤリーダは、外部接続するようにしてもよい。
【００１５】
次に、カメラ付ディジタル携帯電話機２は、図示せぬＣＣＤカメラ（例えば、図３のＣＣＤカメラ３０）を用いて、店Ｐにおいて販売される物品３を撮像し、撮像された物品３の画像データを、読み取られたＩＤ情報に関連付けて記憶する。
【００１６】
また、カメラ付ディジタル携帯電話機２は、ＲＦＩＤリーダにより読み取られたＩＤ情報を、店Ｐ内に予め敷設された店内無線ＬＡＮ（Local Area Network）５のアクセスポイント４−１から、店内無線ＬＡＮ５、店内サーバ６、および外部のネットワーク（例えば、インターネット、ＬＡＮ（Local Area Network）、ＷＡＮ（Wide Area Network）、その他の各種のネットワークを含む）８を介して、本発明に係る情報管理装置として適用可能なタグ管理サーバ９に送信する。
【００１７】
タグ管理サーバ９は、カメラ付ディジタル携帯電話機２から店内無線ＬＡＮ５、店内サーバ６、およびネットワーク８を介して送信されたＩＤ情報を受信し、受信されたＩＤ情報に予め対応付けられた物品３の既成情報である物品既成情報を店内無線ＬＡＮ５、店内サーバ６、およびネットワーク８を介してカメラ付ディジタル携帯電話機２に送信する。カメラ付ディジタル携帯電話機２は、タグ管理サーバ９から店内無線ＬＡＮ５、店内サーバ６、およびネットワーク８を介して送信された物品既成情報を受信し、受信された物品既成情報を液晶ディスプレイ（例えば、図２の液晶ディスプレイ２７）に表示するとともに、適宜記憶する。
【００１８】
店内サーバ６は、カメラ付ディジタル携帯電話機２からタグ管理サーバ９への接続がなされると、その接続情報を店内無線ＬＡＮ５を介して、店Ｐで管理される、本発明に係る情報処理装置として適用可能なパーソナルコンピュータ７に送信する。パーソナルコンピュータ７は、店内無線ＬＡＮ５を介して、アクセスポイント４−２から接続情報を受信し、受信された接続情報に基づいてカウンタをインクリメントする。
【００１９】
カメラ付ディジタル携帯電話機２は、店内無線ＬＡＮ５のアクセスポイント４−１から、店内無線ＬＡＮ５、店内サーバ６、ネットワーク８、および無線ＬＡＮ１０を介して、ユーザの自宅Ｑに設置された、本発明に係る情報処理装置として適用可能なパーソナルコンピュータ１２に物品３の画像データ、ＩＤ情報、および物品既成情報を送信する。パーソナルコンピュータ１２は、カメラ付ディジタル携帯電話機２から店内無線ＬＡＮ５、店内サーバ６、ネットワーク８、および無線ＬＡＮ１０を介して送信された物品３の画像データ、ＩＤ情報、および物品既成情報をアクセスポイント１１から受信し、受信された現在の物品３の画像データ、ＩＤ情報、および物品既成情報を記憶する。
【００２０】
ユーザの自宅Ｑに設置された冷蔵庫１３は、ＲＦＩＤリーダ（図示せず）を内蔵し、内蔵されたＲＦＩＤリーダを介して、冷蔵庫１３内の保存品（すでにユーザにより購入されて冷蔵庫１３内で保存されている物品３）のＩＤ情報などを適宜更新して記憶する。
【００２１】
なお、アクセスポイント４−１乃至４−２は、以下において、それぞれを個々に区別する必要がない場合、アクセスポイント４と総称する。
【００２２】
図２は、本発明に係る情報処理端末として適用可能なカメラ付ディジタル携帯電話機２の外観の構成を表している。なお、図２［Ａ］は、カメラ付ディジタル携帯電話機２を約１８０度に見開いたときの正面から見た外観の構成を表しており、図２［Ｂ］は、カメラ付ディジタル携帯電話機２を見開いたときの側面から見た外観の構成を表している。
【００２３】
図２［Ａ］および［Ｂ］に示されるように、カメラ付ディジタル携帯電話機２は、中央のヒンジ部２１を境に第１の筐体２２と第２の筐体２３とがヒンジ結合されており、ヒンジ部２１を介して矢印Ｘ方向に折り畳み可能に形成される。カメラ付ディジタル携帯電話機２の内部の所定の位置には、送受信用のアンテナ（後述する図４のアンテナ５４）が設けられており、内蔵されたアンテナを介して基地局（図示せず）との間で電波を送受信する。
【００２４】
第１の筐体２２には、その表面に「０」乃至「９」の数字キー、発呼キー、リダイヤルキー、終話・電源キー、クリアキー、および電子メールキーなどの操作キー２４が設けられており、操作キー２４を用いて各種指示を入力することができる。
【００２５】
第１の筐体２２には、操作キー２４として上部に十字キーと確定キーが設けられており、ユーザが十字キーを上下左右方向に操作することにより当てられたカーソルを上下左右方向に移動させることができる。具体的には、第２の筐体２３に設けられた液晶ディスプレイ２７に表示されている電話帳リストや電子メールのスクロール動作、簡易ホームページのページ捲り動作および画像の送り動作などの種々の動作を実行する。
【００２６】
また、確定キーを押下することにより、種々の機能を確定することができる。例えば第１の筐体２２は、ユーザによる十字キーの操作に応じて液晶ディスプレイ２７に表示された電話帳リストの複数の電話番号の中から所望の電話番号が選択され、確定キーが第１の筐体２２の内部方向に押圧されると、選択された電話番号を確定して電話番号に対して発呼処理を行う。
【００２７】
さらに、第１の筐体２２には、十字キーと確定キーの左隣に電子メールキーが設けられており、電子メールキーが第１の筐体２２の内部方向に押圧されると、メールの送受信機能を呼び出すことができる。十字キーと確定キーの右隣には、ブラウザキーが設けられており、ブラウザキーが第１の筐体２２の内部方向に押圧されると、Ｗｅｂページのデータを閲覧することが可能となる。なお、十字キーと確定キーの左右隣に設けられた電子メールキーおよびブラウザキーは、液晶ディスプレイ２７に表示される画面により例えば「Yes」や「No」などの種々の機能をもつことが可能であるため、それぞれ、soft１キーおよびsoft２キーと呼ばれる。
【００２８】
また、第１の筐体２２には、操作キー２４の下部にマイクロフォン２５が設けられており、マイクロフォン２５によって通話時のユーザの音声を集音する。また、第１の筐体２２には、カメラ付ディジタル携帯電話機２の操作を行うサイドキー２６が設けられている。
【００２９】
なお、第１の筐体２２は、背面側に図示しないバッテリパックが挿着されており、終話・電源キーがオン状態になると、バッテリパックから各回路部に対して電力が供給されて動作可能な状態に起動する。
【００３０】
ところで、第１の筐体２２には、第１の筐体２２の下部の所定の位置に抜差自在なメモリカード（後述する図４のメモリカード５６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００３１】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００３２】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００３３】
従って、カメラ付ディジタル携帯電話機２は、このようなメモリカードを挿着可能に構成されているために、メモリカードを介して他の電子機器との間でデータの共有化を図ることができる。
【００３４】
また、所定の機能を拡張するためのモジュール（チップ）をメモリカードに組み込み、メモリカードスロット（図示せず）にそれを装着させることにより、カメラ付ディジタル携帯電話機２の機能をさらに拡張させることができる。
【００３５】
例えば、非接触ＩＣ（Integrated Circuit）チップが組み込まれたメモリカードをカメラ付ディジタル携帯電話機２に装着することにより、非接触ＩＣチップがカメラ付ディジタル携帯電話機２に内蔵されていない場合であっても、非接触ＩＣチップが内蔵された場合と同様の電子決済機能などを有するように機能を拡張させることもできる。
【００３６】
一方、第２の筐体２３には、その正面に液晶ディスプレイ２７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図３のＣＣＤカメラ３０）で撮像した画像、外部のコンテンツサーバ（図示せず）より受信したコンテンツ、メモリカード（後述する図４のメモリカード５６）に記憶されているコンテンツを表示することができる。また、液晶ディスプレイ２７の上部の所定の位置にはスピーカ２８が設けられており、これにより、ユーザは音声通話することが可能である。
【００３７】
また、第１の筐体２２と第２の筐体２３の内部の所定の位置には、カメラ付ディジタル携帯電話機２の状態を検知するための磁気センサ２９a、２９b、２９c、および２９dが設けられる。
【００３８】
図３は、本発明に係る情報処理端末として適用可能なカメラ付ディジタル携帯電話機２の他の外観の構成を表している。図３のカメラ付ディジタル携帯電話機２の状態は、図２のカメラ付ディジタル携帯電話機２の状態から矢印Ｘ方向に回動させた状態である。なお、図３［Ａ］は、カメラ付ディジタル携帯電話機２を閉じたときの正面から見た外観の構成を表しており、図３［Ｂ］は、カメラ付ディジタル携帯電話機２を閉じたときの側面から見た外観の構成を表している。
【００３９】
第２の筐体２３の上部には、ＣＣＤカメラ３０が設けられており、これにより、所望の撮影対象を撮像することができる。ＣＣＤカメラ３０の下部には、サブディスプレイ３１が設けられており、現在のアンテナの感度のレベルを示すアンテナピクト、カメラ付ディジタル携帯電話機２の現在の電池残量を示す電池ピクト、現在の時刻などが表示される。
【００４０】
サブディスプレイ３１の下部には、さらに、静電タッチパッド３２が設けられる。静電タッチパッド３２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００４１】
図４は、本発明に係る情報処理端末として適用可能なカメラ付ディジタル携帯電話機２の内部の構成を表している。
【００４２】
図４に示されるように、カメラ付ディジタル携帯電話機２は、第１の筐体２２及び第２の筐体２３の各部を統括的に制御する主制御部４１に対して、電源回路部４２、操作入力制御部４３、画像エンコーダ４４、カメラインタフェース部４５、ＬＣＤ（Liquid Crystal Display）制御部４６、多重分離部４８、変復調回路部４９、音声コーデック５０、記憶部５７、音楽制御部５８、ＲＦＩＤリーダ５９、および無線ＬＡＮモジュール６０がメインバス５１を介して互いに接続されるとともに、画像エンコーダ４４、画像デコーダ４７、多重分離部４８、変復調回路部４９、音声コーデック５０、および記録再生部５５が同期バス５２を介して互いに接続されて構成される。
【００４３】
電源回路部４２は、ユーザの操作により終話・電源キーがオン状態にされると、バッテリパックから各部に対して電力を供給することによりカメラ付ディジタル携帯電話機２を動作可能な状態に起動する。
【００４４】
主制御部４１は、ＣＰＵ（Central Processing Unit）、ＲＯＭ（Read Only Memory）、およびＲＡＭ（Random Access Memory）などでからなり、ＣＰＵは、ＲＯＭに記憶されているプログラムまたは記憶部５７からＲＡＭにロードされた各種のアプリケーションプログラムに従って各種の処理を実行するとともに、種々の制御信号を生成し、各部に供給することによりカメラ付ディジタル携帯電話機２を統括的に制御する。ＲＡＭは、ＣＰＵが各種の処理を実行する上において必要なデータなどを適宜記憶する。
【００４５】
なお、主制御部４１には、現在の日付と時刻を正確に計測するタイマが内蔵されている。
【００４６】
ここで、ＣＰＵが実行する種々のアプリケーションプログラムは、ＲＯＭや記憶部５７に予めインストールしておくことができる。また、ＣＰＵが実行する種々のアプリケーションプログラムは、図示せぬ基地局を介して通信によってカメラ付ディジタル携帯電話機２にダウンロードすることにより、記憶部５７にインストールすることができる。さらに、ＣＰＵが実行する種々のアプリケーションプログラムは、メモリカード５６に記録しておき、記録再生部５５によって読み出して、記憶部５７にインストールすることも可能である。
【００４７】
カメラ付ディジタル携帯電話機２は、主制御部４１の制御に基づいて、音声通話モード時にマイクロフォン２５で集音した音声信号を音声コーデック５０によってディジタル音声信号に変換、圧縮し、これを変復調回路部４９でスペクトラム拡散処理し、送受信回路部５３でディジタルアナログ変換処理及び周波数変換処理を施した後にアンテナ５４を介して送信する。
【００４８】
また、カメラ付ディジタル携帯電話機２は、音声通話モード時にアンテナ５４で受信した受信信号を増幅して周波数変換処理及びアナログディジタル変換処理を施し、変復調回路部４９でスペクトラム逆拡散処理し、音声コーデック５０によって伸張し、アナログ音声信号に変換した後、変換されたアナログ音声信号をスピーカ２８を介して出力する。
【００４９】
さらに、カメラ付ディジタル携帯電話機２は、データ通信モード時に電子メールを送信する場合、操作キー２４の操作によって入力された電子メールのテキストデータを操作入力制御部４３を介して主制御部４１に送出する。主制御部４１は、テキストデータを変復調回路部４９でスペクトラム拡散処理し、送受信回路部５３でディジタルアナログ変換処理及び周波数変換処理を施した後にアンテナ５４を介して基地局（図示せず）へ送信する。
【００５０】
これに対してカメラ付ディジタル携帯電話機２は、データ通信モード時に電子メールを受信する場合、アンテナ５４を介して基地局（図示せず）から受信した受信信号を変復調回路部４９でスペクトラム逆拡散処理して元のテキストデータを復元した後、ＬＣＤ制御部４６を介して液晶ディスプレイ２７に電子メールとして表示する。
【００５１】
その後カメラ付ディジタル携帯電話機２は、ユーザの操作に応じて受信した電子メールを記録再生部５５を介してメモリカード５６に記録することも可能である。
【００５２】
カメラ付ディジタル携帯電話機２は、画像信号を送信しない場合には、ＣＣＤカメラ３０で撮像した画像信号をカメラインタフェース部４５及びＬＣＤ制御部４６を介して液晶ディスプレイ２７に直接表示する。
【００５３】
カメラ付ディジタル携帯電話機２は、データ通信モード時に画像信号を送信する場合、ＣＣＤカメラ３０で撮像された画像信号をカメラインタフェース部４５を介して画像エンコーダ４４に供給する。
【００５４】
画像エンコーダ４４は、ＣＣＤカメラ３０から供給された画像信号を、例えばＭＰＥＧ（Moving Picture Experts Group）４などの所定の符号化方式によって圧縮符号化することにより符号化画像信号に変換し、変換された符号化画像信号を多重分離部４８に送出する。このとき同時にカメラ付ディジタル携帯電話機２は、ＣＣＤカメラ３０で撮像中にマイクロフォン２５で集音した音声を音声コーデック５０を介してディジタルの音声信号として多重分離部４８送出する。
【００５５】
多重分離部４８は、画像エンコーダ４４から供給された符号化画像信号と音声コーデック５０から供給された音声信号とを所定の方式で多重化し、その結果得られる多重化信号を変復調回路部４９でスペクトラム拡散処理し、送受信回路部５３でディジタルアナログ変換処理及び周波数変換処理を施した後にアンテナ５４を介して送信する。
【００５６】
これに対して、カメラ付ディジタル携帯電話機２では、データ通信モード時に、Ｗｅｂページのデータを受信することができる。
【００５７】
すなわち、カメラ付ディジタル携帯電話機２において、データ通信モードに、例えばＷｅｂページを要求するデータを送信すると、その要求に応じて、Ｗｅｂページのデータが基地局（図示せず）を介して送信される。このＷｅｂページのデータは、アンテナ５４を介して送受信回路部５３および変復調回路部４９で受信される。送受信回路部５３および変復調回路部４９は、受信したＷｅｂページのデータを主制御部４１に送出する。
【００５８】
主制御部４１は、Ｗｅｂページのデータを解釈し、その解釈に基づく画面（画像）を作成する。作成された画面は、主制御部４１からＬＣＤ制御部４６を介して液晶ディスプレイ２７に供給されて表示される。すなわち、主制御部４１のＲＯＭまたは記憶部５７には、少なくともＷｅｂブラウザのアプリケーションプログラムがインストールされており、主制御部４１のＣＰＵは、ＲＡＭ上でＷｅｂブラウザのアプリケーションプログラムを実行することで、Ｗｅｂブラウザとして機能し、Ｗｅｂページのデータの解釈などを行う。
【００５９】
また、カメラ付ディジタル携帯電話機２は、データ通信モード時に例えばＷｅｂページなどにリンクされた動画像ファイルのデータを受信する場合、アンテナ５４を介して基地局（図示せず）から受信した受信信号を変復調回路部４９でスペクトラム逆拡散処理し、その結果得られる多重化信号を多重分離部４８に送出する。
【００６０】
多重分離部４８は、多重化信号を分離することにより符号化画像信号と音声信号とに分け、同期バス５２を介して符号化画像信号を画像デコーダ４７に供給すると共に音声信号を音声コーデック５０に供給する。画像デコーダ４７は、符号化画像信号をＭＰＥＧ４などの所定の符号化方式に対応した復号化方式でデコードすることにより再生動画像信号を生成し、生成された再生動画像信号をＬＣＤ制御部４６を介して液晶ディスプレイ２７に供給する。これにより、例えば、Ｗｅｂページなどにリンクされた動画像ファイルに含まれる動画像データが表示される。
【００６１】
このとき同時に音声コーデック５０は、音声信号をアナログ音声信号に変換した後、これをスピーカ２８に供給し、これにより、例えば、Ｗｅｂページなどにリンクされた動画像ファイルに含まる音声信号が再生される。この場合も電子メールの場合と同様にカメラ付ディジタル携帯電話機２は、受信したＷｅｂページなどにリンクされたデータをユーザの操作により記録再生部５５を介してメモリカード５６に記録することが可能である。
【００６２】
記憶部５７は、例えば、電気的に書換えや消去が可能な不揮発性メモリであるフラッシュメモリ素子などからなり、主制御部４１のＣＰＵにより実行される種々のアプリケーションプログラムや種々のデータ群を格納している。また、記憶部５７は、必要に応じて、ユーザの操作に応じて受信した電子メールや、受信したＷｅｂページなどにリンクされた動画像ファイルに含まれる動画像データなどを記憶する。
【００６３】
音楽制御部５８は、記憶部５７に記憶されているオーディオデータの再生動作および一時停止動作や、巻戻し機能、早送り機能、音量ダウン動作、音量アップ動作などの実行を制御する。
【００６４】
ＲＦＩＤリーダ５９は、例えば物品３に予め貼付された（あるいは内蔵された）ＲＦＩＤからＩＤ情報を読み取り、読み取られたＩＤ情報をメインバス５１を介して主制御部４１に供給する。
【００６５】
無線ＬＡＮモジュール６０は、内蔵されたアンテナ（図示せず）を介して、ＩＥＥＥ８０２．１１ａ／ｂ／ｇなどの所定の規格に準拠した無線ＬＡＮ通信を行う。
【００６６】
図５は、図４のＲＦＩＤリーダ５９の内部の構成を表している。
【００６７】
図５に示されるように、ＲＦＩＤリーダ５９は、アンテナ６１、変調部６２、発振回路６３、復調部６４、ＳＰＵ（（Signal Processing Unit））６５、バス６６、ＣＰＵ６７、ＲＯＭ６８、ＲＡＭ６９、および入出力インタフェース７０により構成される。
【００６８】
アンテナ６１は、変調部６２から供給された要求信号を、無線通信を介して、物品３に予め貼付された（あるいは内蔵された）ＲＦＩＤ（例えば、図６のＲＦＩＤ７１）に送信する。すなわち、例えば、アンテナ６１は、変調部６２から供給された要求信号を伝送するための電波を輻射する。また、アンテナ６１は、物品３に予め貼付された（あるいは内蔵された）ＲＦＩＤから送信されてきたＩＤ情報（例えば、ＩＤ番号）を受信し、受信したＩＤ情報を復調部６４に供給する。
【００６９】
変調部６２は、発振回路６３から供給された所定の周波数のクロック信号を基づいて、搬送波を生成する。変調部６２は、生成された搬送波に基づいて、ＳＰＵ６５から供給された要求信号を所定の方式により変調することにより変調された要求信号を生成し、変調された要求信号をアンテナ６１に供給する。例えば、変調部６２は、ＳＰＵ６５から供給された要求信号に基づいて、搬送波の位相または搬送波の振幅を変化させることにより変調された要求信号を生成する。
【００７０】
より具体的には、例えば、変調部６２は、発振回路６３から供給される例えば１３．５６ＭＨｚの周波数のクロック信号を搬送波として、ＳＰＵ６５より供給されるデータをＡＳＫ変調し、生成された変調波を、電磁波としてアンテナ６１から出力させる。
【００７１】
発振回路６３は、所定の周波数の、基準となるクロック信号を生成し、生成されたクロック信号を変調部６２に供給する。
【００７２】
復調部６４は、アンテナ６１から供給された、変調されているＩＤ情報を、変調部６３の変調方式に対応する復調方式により復調し、復調されたＩＤ情報をＳＰＵ６５に供給する。例えば、復調部６４は、アンテナ６１を介して取得した変調波（ＡＳＫ（Amplitude Shift Keying）変調波）を復調し、復調されたデータをＳＰＵ６５に出力する。
【００７３】
ＳＰＵ６５は、ＣＰＵ６７から供給された要求信号を、所定の方式により符号化し、符号化された要求信号を変調部６２に供給する。また、ＳＰＵ６５は、復調部６４から供給されたＩＤ情報を、ＩＤ情報の符号化方式に対応する復号方式により復号し、復号されたＩＤ情報をＣＰＵ６７に供給する。
【００７４】
例えば、ＳＰＵ６５は、物品３に予め貼付された（あるいは内蔵された）ＲＦＩＤからのデータが復調部６４から供給されてきたとき、そのデータに対して、例えば、マンチェスタ符号化方式などの復号処理を施し、これにより取得したデータをバス６６を介してＣＰＵ６７に供給する。また、ＳＰＵ６５は、物品３に予め貼付された（あるいは内蔵された）ＲＦＩＤに送信する要求信号がバス６６を介して供給されてきたとき、その要求信号にマンチェスタ符号化方式などの復号処理を施し、これにより得られた信号を変調部６２に出力する。
【００７５】
バス６６、ＣＰＵ６７、ＲＯＭ６８、ＲＡＭ６９、および入出力インタフェース７０は、汎用の組み込み型のマイクロプロセッサまたは専用ＩＣなどからなる。ＣＰＵ６７は、ＲＯＭ６８またはＲＡＭ６９に記憶されているプログラムを実行し、ＲＦＩＤリーダ５９全体を統括的に制御する。
【００７６】
例えば、ＣＰＵ６７は、ＩＤ情報の送信を要求する旨の要求信号を生成し、生成した要求信号をＳＰＵ６５に供給する。また、ＣＰＵ６７は、ＳＰＵ６５から供給されたＩＤ情報を取得し、取得されたＩＤ情報を入出力インタフェース７０を介してメインバス５１に供給する。
【００７７】
ＲＯＭ６８は、ＣＰＵ６７が実行するプログラムや各種のデータを記憶している。ＲＡＭ６９は、ＣＰＵ６７が実行するプログラムやデータを適宜記憶する。ＣＰＵ６７、ＲＯＭ６８、ＲＡＭ６９、およびＳＰＵ６５は、バス６６を介して相互に接続される。また、バス６６には、入出力インタフェース７０が接続され、入出力インタフェース７０には、メインバス５１が接続される。
【００７８】
図６は、物品３に予め貼付された（あるいは内蔵された）ＲＦＩＤ７１の構成を表している。
【００７９】
図６に示されるように、ＲＦＩＤ７１は、アンテナ８１、電力発生部８２、変調部８３、発振回路８４、復調部８５、ＳＰＵ８６、バス８７、ＣＰＵ８８、およびＲＯＭ８９により構成される。
【００８０】
アンテナ８１は、ＲＦＩＤリーダ５９から送信されたＩＤ情報の送信を要求する要求信号を受信し、受信した要求信号を復調部８５に供給する。アンテナ８１は、変調部８３から供給されたＩＤ情報を、無線通信を介して、ＲＦＩＤリーダ５９に送信する。すなわち、例えば、アンテナ８１は、変調部８３から供給されたＩＤ情報を伝送するための電波を輻射する。また、アンテナ８１においては、ＲＦＩＤリーダ５９から輻射される所定の周波数の電波により、共振が生じ、起電力が発生する。
【００８１】
電力発生部８２は、アンテナ８１に生じた交流の起電力を基づいて直流電力を発生させ、発生させた直流電力をＲＦＩＤ７１の各部に供給する。なお、電力発生部８２に代えて、電池を内蔵し、内蔵されている電池がＲＦＩＤ７１の各部に電力を供給するようにしてもよい。
【００８２】
変調部８３は、発振回路８４から供給された所定の周波数のクロック信号に基づいて、搬送波を生成する。変調部８３は、搬送波に基づいて、ＳＰＵ８６から供給されたＩＤ情報を所定の方式により変調することにより変調したＩＤ情報を生成し、変調したＩＤ情報をアンテナ８１に供給する。例えば、変調部８３は、ＳＰＵ８６より供給されたマンチェスタ符号化方式で符号化されたＩＤ情報をさらにＡＳＫ変調し、変調されたＩＤ情報を、アンテナ８１を介してＲＦＩＤリーダ５９に送信する。
【００８３】
また、例えば、変調部８３は、ＳＰＵ８６から供給されるＩＤ情報に対応して、例えば、所定のスイッチング素子（図示せず）をオン／オフさせ、スイッチング素子がオン状態であるときだけ、所定の負荷をアンテナ８１に並列に接続させることにより、アンテナ８１の負荷を変動させる。ＡＳＫ変調されたＩＤ情報は、アンテナ８１の負荷の変動により、アンテナ８１を介してＲＦＩＤリーダ５９に送信される（ＲＦＩＤリーダ５９のアンテナ６１の端子電圧を変動させる）（ロードスイッチング方式）。
【００８４】
発振回路８４は、アンテナ８１が受信する要求信号の周波数と同じ周波数のクロック信号を生成し、生成されたクロック信号を変調部８３に供給する。例えば、発振回路８４はPLL（Phase Locked Loop）回路を内蔵し、要求信号のクロック周波数と同一の周波数のクロック信号を発生する。
【００８５】
復調部８５は、アンテナ８１から供給された要求信号を、ＲＦＩＤリーダ５９の変調部６２の変調方式に対応する復調方式により復調し、復調された要求信号をＳＰＵ８６に供給する。例えば、復調部８５は、アンテナ８１を介して受信したＡＳＫ変調波である要求信号を包絡線検波して復調し、復調後の要求信号をＳＰＵ８６に出力する。
【００８６】
ＳＰＵ８６は、復調部８５から供給された要求信号を所定の方式により復号し、復号された要求信号をＣＰＵ８８に供給する。ＳＰＵ８６は、ＣＰＵ８８から供給されたＩＤ情報を、所定の符号化方式により符号化し、符号化されたＩＤ情報を変調部８３に供給する。例えば、ＳＰＵ８６は、復調部８５で復調されたデータがマンチェスタ符号化方式で符号化されている場合、図示せぬＰＬＬ回路から供給されるクロック信号に基づいて、そのデータの復号（マンチェスタコードのデコード）を行い、復号したデータをＣＰＵ８８に供給する。例えば、ＳＰＵ８６は、ＣＰＵ８８から供給されたＩＤ情報をマンチェスタ符号化方式で符号化し、マンチェスタ符号化方式で符号化されたＩＤ情報を変調部８３に供給する。
【００８７】
ＣＰＵ８８は、ＲＯＭ８９に記憶されているプログラムに従って、各種の処理を実行する。ＲＯＭ８９は、ＣＰＵ８８が実行するプログラムや各種のデータを記憶している。また、ＲＯＭ８９は、ＲＦＩＤ７１が貼付されている（あるいは内蔵されている）物品３を識別するためのＩＤ情報を予め記憶している。なお、ＲＯＭ８９には、例えば、マスクＲＯＭ、フラッシュメモリ、ＥＰＲＯＭ（Erasable Programmable Read Only Memory）、またはＥＥＰＲＯＭ（Electrically Erasable Programmable Read Only Memory）などの不揮発性メモリが用いられる。ＳＰＵ８６、ＣＰＵ８８、およびＲＯＭ８９は、バス８７を介して相互に接続される。
【００８８】
図７は、図１の店内サーバ６の内部の構成を表している。
【００８９】
図７に示されるように、ＣＰＵ９１は、ＲＯＭ９２に記憶されているプログラム、または記憶部９８からＲＡＭ９３にロードされたプログラムに従って各種の処理を実行する。
【００９０】
ＲＡＭ９３にはまた、ＣＰＵ９１が各種の処理を実行する上において必要なデータなども適宜記憶される。
【００９１】
ＣＰＵ９１、ＲＯＭ９２、およびＲＡＭ９３には、バス９４を介して相互に接続されている。このバス９４にはまた、入出力インタフェース９５が接続される。
【００９２】
入出力インタフェース９５には、キーボード、マウスなどによりなる入力部９６、ＣＲＴ(Cathode Ray Tube)、ＬＣＤ(Liquid Crystal Display)などよりなるディスプレイ、並びにスピーカなどよりなる出力部９７、ハードディスクなどより構成される記憶部９８、モデム、ターミナルアダプタ、およびネットワークインタフェース（いずれも図示せず）などより構成される通信部９９が接続される。
【００９３】
通信部９９は、店内無線ＬＡＮ５やネットワーク８を介しての通信処理を行う。
【００９４】
入出力インタフェース９５には、必要に応じてドライブ１００が接続され、磁気ディスク１０１（フロッピディスクを含む）、光ディスク１０２（ＣＤ−ＲＯＭ(Compact Disk-Read Only Memory）、ＤＶＤ(Digital Versatile Disk)を含む)、光磁気ディスク１０３(ＭＤ(Mini-Disk)を含む)、あるいは半導体メモリ１０４などが適宜装着され、それから読み出しコンピュータプログラムが、必要に応じて記憶部９８にインストールされる。
【００９５】
図８は、図１のパーソナルコンピュータ７の内部の構成を表している。なお、図８を用いて説明するパーソナルコンピュータ７の内部の構成は、図７を用いて説明した店内サーバ６の内部の構成と基本的には同様であり、その説明は繰り返しになるので省略する。
【００９６】
図９は、図１のタグ管理サーバ９の内部の構成を表している。なお、図９を用いて説明するタグ管理サーバ９の内部の構成は、図７を用いて説明した店内サーバ６の内部の構成と基本的には同様であり、重複する部分についての説明は繰り返しになるので適宜省略する。
【００９７】
記憶部１３８には、物品３を識別するためのＩＤ情報（識別情報）と、物品３の既成情報である物品既成情報とが予め対応付けられて登録されている物品既成情報データベース１４５が格納されている。
【００９８】
図１０は、図１のパーソナルコンピュータ１２の内部の構成を表している。なお、図１０を用いて説明するパーソナルコンピュータ１２の内部の構成は、図７を用いて説明した店内サーバ６の内部の構成と基本的には同様であり、その説明は繰り返しになるので省略する。
【００９９】
図１１は、図１の冷蔵庫１３の内部の概略的な構成を表している。なお、図１１を用いて説明する冷蔵庫１３の内部の構成は、図７を用いて説明した店内サーバ６の内部の構成と基本的には同様であり、その説明は繰り返しになるので省略する。
【０１００】
次に、図１２のフローチャートを参照して、図４のカメラ付ディジタル携帯電話機２における物品情報記憶処理の一例について説明する。この物品情報記憶処理は、例えばユーザが店Ｐ（例えば、スーパーマーケットなど）に買い物に行ったとき、ユーザにより、カメラ付ディジタル携帯電話機２に内蔵されたＲＦＩＤリーダ５９を用いて、店Ｐで販売される物品３（例えば、にんじんやキャベツなど）に貼付（あるいは内蔵）されたＲＦＩＤ７１から物品３を識別するためのＩＤ情報（識別情報）の読み取りを開始するとの指示がなされことで開始される。
【０１０１】
ステップＳ１において、主制御部４１は、操作入力制御部４３を介して、ユーザにより操作キー２４が操作されることにより物品３に貼付（あるいは内蔵）されたＲＦＩＤ７１の読み取りを開始するとの指示がなされたか否かを判定し、物品３に貼付（あるいは内蔵）されたＲＦＩＤ７１の読み取りを開始するとの指示がなされたと判定するまで待機する。
【０１０２】
ステップＳ１において物品３に貼付（あるいは内蔵）されたＲＦＩＤ７１の読み取りを開始するとの指示がなされたと判定された場合、主制御部４１はステップＳ２で、記憶部５７に記憶されている、ＲＦＩＤ７１からＩＤ情報（物品３を識別するためのＩＤ情報）を読み取るためのＲＦＩＤ読取アプリケーションプログラムを読み出し、読み出されたＲＦＩＤ読取アプリケーションプログラムを起動する。
【０１０３】
その後、ユーザは、物品３に貼付された（あるいは内蔵された）ＲＦＩＤ７１からＩＤ情報を読み取ることができるように、カメラ付ディジタル携帯電話機２に内蔵されたＲＦＩＤリーダ５９を物品３のＲＦＩＤ７１に近接させる。
【０１０４】
ステップＳ３において、主制御部４１は、操作入力制御部４３を介して、ユーザにより操作キー２４が操作されることにより読み取りボタン（例えば、操作キー２４のうちの確定キーなど）が押されたか否かを判定し、読み取りボタン（例えば、操作キー２４のうちの確定キーなど）が押されたと判定するまで待機する。
【０１０５】
ステップＳ３において読み取りボタン（例えば、操作キー２４のうちの確定キーなど）が押されたと判定された場合、主制御部４１はステップＳ４で、ＲＦＩＤリーダ５９を制御し、物品３に貼付された（あるいは内蔵された）ＲＦＩＤ７１から、物品３を識別するためのＩＤ情報（識別情報）を読み取らせる。
【０１０６】
すなわち、第１に、ＲＦＩＤリーダ５９のＣＰＵ６７は、主制御部４１の制御に従い、ＲＦＩＤ７１にＩＤ情報の送信を要求する旨の要求信号を生成し、生成された要求信号をＳＰＵ６５に供給し、ＳＰＵ６５、変調部６２、およびアンテナ６１を介して、ＩＤ情報の送信を要求する旨の要求信号をＲＦＩＤ７１に送信する。
【０１０７】
第２に、ＲＦＩＤリーダ５９に近接されたＲＦＩＤ７１のアンテナ８１は、ＲＦＩＤリーダ５９から無線通信を介して送信された要求信号（ＲＦＩＤ７１にＩＤ情報の送信を要求する旨の要求信号）を受信し、受信された要求信号を復調部８５に供給する。復調部８５は、アンテナ８１から供給された要求信号を取得し、取得された要求信号を、ＲＦＩＤリーダ５９の変調部６２の変調方式に対応する復調方式により復調し、復調された要求信号をＳＰＵ８６に供給する。
【０１０８】
ＳＰＵ８６は、復調部８５から供給された復調後の要求信号を取得し、取得された復調後の要求信号を所定の方式により復号し、復号された要求信号をＣＰＵ８８に供給する。ＣＰＵ８８は、ＳＰＵ８６から供給された復号後の要求信号に基づいて、ＲＯＭ８９に予め記憶されている物品３に固有のＩＤ情報を読み出し、読み出されたＩＤ情報をバス８７を介してＳＰＵ８６に供給する。
【０１０９】
ＳＰＵ８６は、ＣＰＵ８８から供給されたＩＤ情報を、所定の符号化方式により符号化し、符号化されたＩＤ情報を変調部８３に供給する。変調部８３は、ＳＰＵ８６から供給された符号化後のＩＤ情報を取得し、取得された符号化後のＩＤ情報を、搬送波に基づいて所定の方式により変調することにより変調されたＩＤ情報を生成し、生成された変調後のＩＤ情報をアンテナ８１を介してＲＦＩＤリーダ５９に送信する。
【０１１０】
第３に、ＲＦＩＤリーダ５９のアンテナ６１は、ＲＦＩＤ７１から送信されたＩＤ情報を受信し、受信されたＩＤ情報を復調部６４に供給する。復調部６４は、アンテナ６１から供給されたＩＤ情報を取得し、取得されたＩＤ情報を、変調部８３の変調方式に対応する復調方式により復調し、復調されたＩＤ情報をＳＰＵ６５に供給する。
【０１１１】
ＳＰＵ６５は、復調部６４から供給された復調後のＩＤ情報を取得し、取得された復調後のＩＤ情報を、所定の符号化方式に対応する復号化処理を施し、復号化後のＩＤ情報をバス６６を介してＣＰＵ６７に供給する。
【０１１２】
ＣＰＵ６７は、ＳＰＵ６５から供給された復号化後のＩＤ情報を取得し、取得された復号化後のＩＤ情報を入出力インタフェース７０とメインバス５１を介して主制御部４１に供給する。
【０１１３】
ステップＳ５において、主制御部４１は、ＲＦＩＤリーダ５９から供給された物品３を識別するためのＩＤ情報（識別情報）を取得する。
【０１１４】
ステップＳ６において、主制御部４１は、内蔵されたタイマを用いて、予め設定された所定の時間が経過したか否かを判定する。
【０１１５】
ステップＳ６において予め設定された所定の時間が経過していないと判定された場合、主制御部４１はステップＳ７で、操作入力制御部４３を介して、ユーザにより操作キー２４が操作されることにより物品３の撮像が指示されたか否かを判定する。
【０１１６】
ステップＳ７において物品３の撮像が指示されていないと判定された場合、処理はステップＳ６に戻り、ステップＳ６以降の処理が繰り返される。
【０１１７】
これにより、カメラ付ディジタル携帯電話機２は、物品３に貼付された（あるいは内蔵された）ＲＦＩＤ７１から物品３を識別するためのＩＤ情報を読み取った後、予め設定された所定の時間が経過するまで、物品３の撮像処理を実行することができる。
【０１１８】
ステップＳ７において物品３の撮像が指示されたと判定された場合、主制御部４１はステップＳ８で、記憶部５７に記憶されている、ＣＣＤカメラ３０を用いて所望の対象（例えば、物品３自体や、物品３に貼付される価格など）を撮像するための撮像アプリケーションプログラムを読み出し、読み出された撮像アプリケーションプログラムを起動する。
【０１１９】
その後、ユーザは、物品３を所望の位置で撮像することができるように、カメラ付ディジタル携帯電話機２のＣＣＤカメラ３０の位置を調整する。
【０１２０】
ステップＳ９において、主制御部４１は、操作入力制御部４３を介して、ユーザにより操作キー２４のうちのシャッタボタン（例えば、確定キー）が押されたか否かを判定し、ユーザにより操作キー２４のうちのシャッタボタン（例えば、確定キー）が押されたと判定するまで待機する。
【０１２１】
ステップＳ９においてーザにより操作キー２４のうちのシャッタボタン（例えば、確定キー）が押されたと判定された場合、主制御部４１はステップＳ１０で、カメラインタフェース部４５を介して、ＣＣＤカメラ３０を制御し、物品３を所望の位置で撮像させる。ＣＣＤカメラ３０は、主制御部４１の制御に従い、物品３を所望の位置で撮像し、撮像された物品３の画像データ（画像信号）をカメラインタフェース部４５を介して主制御部４１に供給する。
【０１２２】
ステップＳ１１において、主制御部４１は、ＣＣＤカメラ３０からカメラインタフェース部４５を介して供給された物品３の画像データ（画像信号）を、店Ｐで販売される物品３に関する物品情報として取得し、取得された物品３の画像データを画像エンコーダ４４とＬＣＤ制御部４６に供給する。
【０１２３】
ステップＳ１２において、主制御部４１は、ＬＣＤ制御部４６を制御し、液晶ディスプレイ２７に物品３の画像データを表示させる。液晶ディスプレイ２７は、ＬＣＤ制御部４６の制御に従い、物品３の画像データを表示する。
【０１２４】
ステップＳ１３において、主制御部４１は、画像エンコーダ４４を制御し、物品３の画像データ（画像信号）を、例えばＪＰＥＧ（Joint Photographic Experts Group）などの所定の符号化方式によって圧縮符号化することにより符号化画像信号に変換させる。主制御部４１は、取得された物品３を識別するためのＩＤ情報（識別情報）、および符号化画像信号に変換された物品３の画像データを記憶部５７に所定の関連付け方法（例えば、同一の番号を付して関連付ける方法や、物品３を識別するためのＩＤ情報に物品３の画像データを添付情報として関連付ける方法など）で関連付けて記憶させる。
【０１２５】
記憶部５７は、主制御部４１の制御に従い、取得された物品３を識別するためのＩＤ情報（識別情報）、および符号化画像信号に変換された物品３の画像データを所定の関連付け方法で関連付けて記憶する。
【０１２６】
これにより、物品３に関する物品情報を、物品３を識別するためのＩＤ情報（識別情報）にリアルタイムに関連付けて記憶することができる。従って、ユーザは、好みに応じて、現在の物品３に関する物品情報（例えば、現在の物品３の品質に関する情報（物品３が萎びているか傷んでいるかなどの情報）や価格に関する情報（にんじん１パック１５０円などの情報）など）をリアルタイムに反映させることができる。従って、カメラ付ディジタル携帯電話機２でＲＦＩＤリーダ５９を用いる場合における利便性を向上させることができる。
【０１２７】
一方、ステップＳ６において予め設定された所定の時間が経過したと判定された場合、処理はステップＳ１に戻り、その後、ステップＳ１以降の処理が繰り返される。これにより、ＲＦＩＤリーダ５９によりＲＦＩＤ７１から物品３を識別するための識別情報を読み取った後、所定の時間が経過した場合、物品情報記憶処理は実行されない。
【０１２８】
その後、ユーザは、カメラ付ディジタル携帯電話機２に記憶された物品３を識別するためのＩＤ情報（識別情報）を用いて、店内無線ＬＡＮ５、店内サーバ６、およびネットワーク８を介してタグ管理サーバ９から物品３に関する既成情報である物品既成情報をカメラ付ディジタル携帯電話機２に取得させる。以下、この物品既成情報取得処理について説明する。
【０１２９】
図１３のフローチャートを参照して、図４のカメラ付ディジタル携帯電話機２における物品既成情報取得処理について説明する。この物品既成情報取得処理は、ユーザにより操作キー２４が操作されることにより、タグ管理サーバ９と接続するとの指示がなされることで開始される。
【０１３０】
ステップＳ２１において、主制御部４１は、タグ管理サーバ９に接続するための接続要求を生成し、生成された接続要求を無線ＬＡＮモジュール６０に供給する。無線ＬＡＮモジュール６０は、主制御部４１の制御に従い、アクセスポイント４、無線ＬＡＮ５、店内サーバ６、およびネットワーク８を介してタグ管理サーバ９に接続要求を送信する。
【０１３１】
ステップＳ２２において、主制御部４１は、無線ＬＡＮモジュール６０において受信された接続応答に基づいて、タグ管理サーバ９との接続に成功したか否かを判定し、タグ管理サーバ９との接続に成功したと判定するまで待機する。
【０１３２】
ステップＳ２２においてタグ管理サーバ９との接続に成功したと判定された場合、主制御部４１はステップＳ２３で、記憶部５７に記憶されている物品３を識別するためのＩＤ情報を読み出し、読み出された物品３を識別するためのＩＤ情報（識別情報）を無線ＬＡＮモジュール６０に供給する。無線ＬＡＮモジュール６０は、主制御部４１の制御に従い、アクセスポイント４、無線ＬＡＮ５、店内サーバ６、およびネットワーク８を介してタグ管理サーバ９に物品３を識別するためのＩＤ情報（識別情報）を送信する。
【０１３３】
ステップＳ２４において、無線ＬＡＮモジュール６０は、アクセスポイント４、無線ＬＡＮ５、店内サーバ６、およびネットワーク８を介してタグ管理サーバ９から物品３に関する既成情報である物品既成情報を受信し、受信された物品３に関する物品既成情報を主制御部４１に供給する。
【０１３４】
ステップＳ２５において、主制御部４１は、無線ＬＡＮモジュール６０から供給された物品３に関する物品既成情報を取得し、取得された物品３に関する物品既成情報をＬＣＤ制御部４６と記憶部５７に供給する。物品３に関する物品既成情報には、例えば、物品３の原材料名や生産者名、生産地、収穫日などに関する情報が含まれる。
【０１３５】
ステップＳ２６において、主制御部４１は、ＬＣＤ制御部４６を制御し、液晶ディスプレイ２７に物品３に関する物品既成情報を表示させる。液晶ディスプレイ２７は、ＬＣＤ制御部４６の制御に従い、物品３に関する物品既成情報を表示する。これにより、ユーザは、物品３に関する物品既成情報に含まれる例えば物品３の原材料名や生産者名、生産地、収穫日などに関する情報を知ることができる。
【０１３６】
ステップＳ２７において、記憶部５７は、主制御部４１から供給された物品３に関する物品既成情報を取得し、主制御部４１の制御に従い、取得された物品３に関する物品既成情報を、すでに関連付けて記憶されている物品３を識別するためのＩＤ情報（識別情報）および物品３に関する物品情報に所定の関連付け方法で関連付けて記憶する。
【０１３７】
これにより、既成情報でしかない物品既成情報に、現在の物品３に関する情報である物品情報などをリアルタイムに関連付けて記憶させることができる。従って、現在の物品３に関する情報である物品情報をリアルタイムに反映させることができ、ユーザにとって使い勝手を良くするとともに、カメラ付ディジタル携帯電話機２でＲＦＩＤリーダ５９を用いる場合における利便性をより向上させることができる。
【０１３８】
図１４のフローチャートを参照して、図１３の物品既成情報取得処理に対応する、図９のタグ管理サーバにおける物品既成情報供給処理について説明する。
【０１３９】
ステップＳ３１において、通信部１３９は、アクセスポイント４、無線ＬＡＮ５、店内サーバ６、およびネットワーク８を介してカメラ付ディジタル携帯電話機２から接続要求を受信し、受信された接続要求をバス１３４を介してＣＰＵ１３１に供給する。
【０１４０】
ステップＳ３２において、ＣＰＵ１３１は、接続が要求されたカメラ付ディジタル携帯電話機２の認証処理などを行い、その結果を示す接続応答を生成し、生成された接続応答を通信部１３９に供給する。通信部１３９は、ＣＰＵ１３１から供給された接続要求を、アクセスポイント４、無線ＬＡＮ５、店内サーバ６、およびネットワーク８を介してカメラ付ディジタル携帯電話機２に送信する。
【０１４１】
ステップＳ３３において、ＣＰＵ１３１は、通信部１３９を介して、カメラ付ディジタル携帯電話機２との接続に成功したか否かを判定し、カメラ付ディジタル携帯電話機２との接続に成功したと判定するまで待機する。
【０１４２】
ステップＳ３３において、カメラ付ディジタル携帯電話機２との接続に成功したと判定された場合、通信部１３９はステップＳ３４で、アクセスポイント４、無線ＬＡＮ５、店内サーバ６、およびネットワーク８を介してカメラ付ディジタル携帯電話機２から物品３のＩＤ情報を受信し、受信された物品３のＩＤ情報をＣＰＵ１３９に供給する。
【０１４３】
ステップＳ３５において、ＣＰＵ１３９は、通信部１３９から供給された物品３のＩＤ情報を取得する。ステップＳ３６において、ＣＰＵ１３９は、記憶部１３８に予め記憶されている、ＩＤ情報と物品既成情報が予め対応付けられて登録されている物品既成情報データベース１４５を読み出す。
【０１４４】
ステップＳ３７において、ＣＰＵ１３９は、読み出された物品既成情報データベース１４５を参照して、取得されたＩＤ情報を用いて、ＩＤ情報に予め対応付けられた物品既成情報を検索する。
【０１４５】
ステップＳ３８において、ＣＰＵ１３８は、検索された物品既成情報を通信部１３９に供給する。通信部１３９は、ＣＰＵ１３１から供給された物品既成情報を、アクセスポイント４、無線ＬＡＮ５、店内サーバ６、およびネットワーク８を介してカメラ付ディジタル携帯電話機２に送信する。
【０１４６】
本発明の実施形態においては、現在の物品３に関する情報である物品情報を、物品３を識別するためのＩＤ情報（識別情報）にリアルタイムに関連付けて記憶するようにしたので、ユーザは、好みに応じて、現在の物品３に関する物品情報（例えば、現在の物品３の品質に関する情報（萎びているか傷んでいるかなどの情報）や価格に関する情報（１パック１５０円などの情報）など）をリアルタイムに反映させ、既成情報である物品既成情報に物品３に関する最新情報を効率的に付加させることができる。従って、カメラ付ディジタル携帯電話機２でＲＦＩＤリーダ５９を用いる場合における利便性を向上させることができる。
【０１４７】
なお、図１３のカメラ付ディジタル携帯電話機２における物品既成情報取得処理においては、店Ｐに予め敷設された無線ＬＡＮ５を用いてタグ管理サーバ９から物品３に関する物品既成情報を取得するようにしたので、カメラ付ディジタル携帯電話機２の変復調回路部４９、送受信回路部５３、およびアンテナ５４を用いて基地局（図示せず）を介して取得するよりも安価に物品３に関する物品既成情報を取得することができる。
【０１４８】
また、図１３のカメラ付ディジタル携帯電話機２における物品既成情報取得処理は、ＲＦＩＤリーダ５９によりＲＦＩＤ７１から物品３を識別するためのＩＤ情報を読み取った後、すぐに（リアルタイムに）行うようにしてもよいし、ユーザの自宅Ｑで実行するようにしてもよい。
【０１４９】
ところで、カメラ付ディジタル携帯電話機２から無線ＬＡＮ５などを介してタグ管理サーバ９に接続された場合、この接続情報を店Ｐ内に設置されたパーソナルコンピュータ７に送信し、パーソナルコンピュータ７において受信された接続情報を用いて店Ｐにおける販売実績や売り上げなどに関連付けるようにしてもよい。これにより、ユーザが買い物をする店Ｐにおける販売活動に生かすことが可能となる。以下、この方法を用いた接続情報取得処理について説明する。
【０１５０】
図１５のフローチャートを参照して、図８のパーソナルコンピュータ７における接続情報取得処理について説明する。
【０１５１】
ステップＳ４１において、通信部１１９は、無線ＬＡＮ５を介して店内サーバ６から、ユーザが所有するカメラ付ディジタル携帯電話機２のタグ管理サーバ９への接続情報を受信し、受信されたカメラ付ディジタル携帯電話機２のタグ管理サーバ９への接続情報をバス１１４を介してＣＰＵ１１１に供給する。
【０１５２】
ステップＳ４２において、ＣＰＵ１１１は、通信部１１９から供給されたカメラ付ディジタル携帯電話機２のタグ管理サーバ９への接続情報を取得する。
【０１５３】
ステップＳ４３において、ＣＰＵ１１１は、取得されたカメラ付ディジタル携帯電話機２のタグ管理サーバ９への接続情報に基づいて、カウンタを１つだけインクリメントし、インクリメントにより更新されたカウンタ情報を記憶部１１８に記憶させる。その後、処理はステップＳ４１に進み、ステップＳ４１以降の処理が繰り返される。
【０１５４】
その後、パーソナルコンピュータ７においては、記憶部１１８に記憶されているカウンタ情報を用いて、販売実績や売り上げに関する相関係数などが算出される。例えば、複数のユーザから頻繁に接続された物品３と、実際に購入された物品３との相関係数などが算出される。これにより、算出された相関係数などを用いて、店Ｐにおける販売活動を有効に行うことができる。
【０１５５】
なお、例えば、店Ｐの会員となっているユーザのカメラ付ディジタル携帯電話機２にもＲＦＩＤ７１を内蔵させ、内蔵されたＲＦＩＤ７１を用いて物品３の会計を行わせるようにして、タグ管理サーバ９にカメラ付ディジタル携帯電話機２から接続して物品既成情報を取得したユーザが、実際にどのような物品３を購入したのかどうかについてより正確な統計を取るようにしてもよい。
【０１５６】
なお、カメラ付ディジタル携帯電話機２に記憶されている物品３を識別するためのＩＤ情報（識別情報）や、物品３に関する物品情報などを、ユーザの自宅Ｑに設置されたパーソナルコンピュータ１２に送信するようにしてもよい。以下、この方法を用いた物品情報送信処理について説明する。
【０１５７】
図１６のフローチャートを参照して、図４のカメラ付ディジタル携帯電話機２における物品情報送信処理について説明する。この物品情報送信処理は、ユーザにより操作キー２４が操作されることにより、記憶部５７に記憶されている物品情報を送信するとの指示がなされた後、開始される。
【０１５８】
ステップＳ５１において、主制御部４１は、ユーザの自宅Ｑに設置されたパーソナルコンピュータ１２に接続するための接続要求を生成し、生成された接続要求を無線ＬＡＮモジュール６０に供給する。無線ＬＡＮモジュール６０は、主制御部４１の制御に従い、アクセスポイント４、無線ＬＡＮ５、店内サーバ６、ネットワーク８、および無線ＬＡＮ１０を介してパーソナルコンピュータ１２に接続要求を送信する。
【０１５９】
ステップＳ５２において、主制御部４１は、無線ＬＡＮモジュール６０において受信された接続応答に基づいて、パーソナルコンピュータ１２との接続に成功したか否かを判定し、パーソナルコンピュータ１２との接続に成功したと判定するまで待機する。
【０１６０】
ステップＳ５２においてパーソナルコンピュータ１２との接続に成功したと判定された場合、主制御部４１は、記憶部５７に記憶されている物品３を識別するためのＩＤ情報（識別情報）、物品３に関する物品情報、および物品３に関する物品既成情報を読み出し、読み出されたこれらの情報を無線ＬＡＮモジュール６０に供給する。無線ＬＡＮモジュール６０は、主制御部４１の制御に従い、アクセスポイント４、無線ＬＡＮ５、店内サーバ６、ネットワーク８、および無線ＬＡＮ１０を介してパーソナルコンピュータ１２にこれらの情報（物品３を識別するためのＩＤ情報（識別情報）、物品３に関する物品情報、および物品３に関する物品既成情報）を送信する。
【０１６１】
図１７のフローチャートを参照して、図１６のカメラ付ディジタル携帯電話機２における物品情報送信処理に対応する、図１０のパーソナルコンピュータ１２における物品情報受信処理について説明する。
【０１６２】
ステップＳ６１において、通信部１５９は、無線ＬＡＮ５、店内サーバ６、ネットワーク８、および無線ＬＡＮ１０を介してカメラ付ディジタル携帯電話機２から接続要求を受信し、受信された接続要求をバス１５４を介してＣＰＵ１５１に供給する。
【０１６３】
ステップＳ６２において、ＣＰＵ１５１は、接続が要求されたカメラ付ディジタル携帯電話機２の認証処理などを行い、その結果を示す接続応答を生成し、生成された接続応答を通信部１５９に供給する。通信部１３９は、ＣＰＵ１５１から供給された接続要求を、アクセスポイント４、無線ＬＡＮ５、店内サーバ６、ネットワーク８、および無線ＬＡＮ１０を介してカメラ付ディジタル携帯電話機２に送信する。
【０１６４】
ステップＳ６３において、ＣＰＵ１５１は、通信部１５９を介して、カメラ付ディジタル携帯電話機２との接続に成功したか否かを判定し、カメラ付ディジタル携帯電話機２との接続に成功したと判定するまで待機する。
【０１６５】
ステップＳ６３においてカメラ付ディジタル携帯電話機２との接続に成功したと判定された場合、通信部１５９はステップＳ６４で、無線ＬＡＮ５、店内サーバ６、ネットワーク８、および無線ＬＡＮを介してカメラ付ディジタル携帯電話機２から、物品３を識別するためのＩＤ情報（識別情報）、物品３に関する物品情報、および物品３に関する物品既成情報を受信し、受信されたこれらの情報をＣＰＵ１５１にバス１５４を介して供給する。
【０１６６】
ステップＳ６５において、ＣＰＵ１５１は、通信部１５９からバス１５４を介して供給された物品３を識別するためのＩＤ情報（識別情報）、物品３に関する物品情報、および物品３に関する物品既成情報を取得し、取得されたこれらの情報を記憶部１５８に供給する。
【０１６７】
ステップＳ６６において、ＣＰＵ１５１は、記憶部１５８を制御し、物品３を識別するためのＩＤ情報（識別情報）、物品３に関する物品情報、および物品３に関する物品既成情報を記憶させる。
【０１６８】
これにより、カメラ付ディジタル携帯電話機２において物品３を識別するためのＩＤ情報（識別情報）にリアルタイムに関連付けて記憶させた、現在の物品３に関する情報である物品情報を、ユーザの好みに応じてさらに編集することができる。例えば、他のユーザから同種の物品３に関する物品情報を取得し、これらを編集するようにしてもよい。また、ユーザは、冷蔵庫１３の記憶部１７８に記憶されている冷蔵庫１３内の保存品と、店Ｐに販売される物品３を比較して、以降の買い物の参考にするようにしてもよい。従って、カメラ付ディジタル携帯電話機２でＲＦＩＤリーダ５９を用いる場合における利便性をより向上させることができる。
【０１６９】
なお、パーソナルコンピュータ１２はユーザの家族などとともに共用することが可能であり、パーソナルコンピュータ１２に記憶されている物品既成情報や物品情報など用いて買い物に活用するようにしてもよい。例えばユーザが店Ｐに買い物に行き、現在の物品３に関する物品情報などをネットワーク８などを介して送信する一方、ユーザの家族が自宅Ｑで待機し、パーソナルコンピュータ１２において受信された現在の物品３に関する物品情報などを用いて、買い物の指示をユーザに出すようにしてもよい。
【０１７０】
ところで、図１２フローチャートを用いて説明した物品情報記憶処理においては、ＲＦＩＤ７１から物品３を識別するためのＩＤ情報（識別情報）を読み取った後、ユーザがシャッタボタン（例えば、確定キーなど）を押すことにより、物品３を撮像するようにしたが、ＲＦＩＤ７１の読み取りを指示すると同時に物品３の撮像も指示するようにしてもよい。これにより、カメラ付ディジタル携帯電話機２でＲＦＩＤリーダ５９を用いる場合における操作性をより向上させることができる。以下、この方法を用いた場合における物品情報記憶処理について説明する。
【０１７１】
図１８のフローチャートを参照して、図４のカメラ付ディジタル携帯電話機２における他の物品情報記憶処理について説明する。この物品情報記憶処理は、ユーザが店Ｐ（例えば、スーパーマーケットなど）に買い物に行ったとき、ユーザにより、カメラ付ディジタル携帯電話機２に内蔵されたＲＦＩＤリーダ５９を用いて、店Ｐで販売される物品３（例えば、にんじんやキャベツなど）に貼付（あるいは内蔵）されたＲＦＩＤ７１から物品３を識別するためのＩＤ情報（識別情報）の読み取り、その位置で物品３を撮像するとのを開始するとの指示がなされことで開始される。
【０１７２】
ステップＳ７１において、主制御部４１は、操作入力制御部４３を介して、ユーザにより操作キー２４が操作されることにより物品３に貼付（あるいは内蔵）されたＲＦＩＤ７１の読み取りと物品３の撮像を開始するとの指示がなされたか否かを判定し、物品３に貼付（あるいは内蔵）されたＲＦＩＤ７１の読み取りと物品３の撮像を開始するとの指示がなされたと判定するまで待機する。
【０１７３】
ステップＳ７１において物品３に貼付（あるいは内蔵）されたＲＦＩＤ７１の読み取りと物品３の撮像を開始するとの指示がなされたと判定された場合、主制御部４１はステップＳ２で、記憶部５７に記憶されている、ＲＦＩＤ７１からＩＤ情報（物品３を識別するためのＩＤ情報）を読み取るためのＲＦＩＤ読取アプリケーションプログラムを読み出し、読み出されたＲＦＩＤ読取アプリケーションプログラムを起動する。
【０１７４】
その後、ユーザは、物品３に貼付された（あるいは内蔵された）ＲＦＩＤ７１からＩＤ情報を読み取ることができるように、カメラ付ディジタル携帯電話機２に内蔵されたＲＦＩＤリーダ５９を物品３のＲＦＩＤ７１に近接させる。
【０１７５】
ステップＳ７３において、主制御部４１は、操作入力制御部４３を介して、ユーザにより操作キー２４が操作されることにより読み取り・シャッタボタン（例えば、操作キー２４のうちの確定キーなど）が押されたか否かを判定し、読み取り・シャッタボタン（例えば、操作キー２４のうちの確定キーなど）が押されたと判定するまで待機する。
【０１７６】
ステップＳ３において読み取り・シャッタボタン（例えば、操作キー２４のうちの確定キーなど）が押されたと判定された場合、主制御部４１はステップＳ４で、ＲＦＩＤリーダ５９を制御し、物品３に貼付された（あるいは内蔵された）ＲＦＩＤ７１から、物品３を識別するためのＩＤ情報（識別情報）を読み取らせる。具体的な読み取り処理については、図１２のステップＳ４と基本的には同様であり、その説明は繰り返しになるので省略する。
【０１７７】
ステップＳ７５において、主制御部４１は、ＲＦＩＤリーダ５９から供給された物品３を識別するためのＩＤ情報（識別情報）を取得する。
【０１７８】
ステップＳ７６において、主制御部４１は、記憶部５７に記憶されている、ＣＣＤカメラ３０を用いて所望の対象（例えば、物品３自体や、物品３に貼付される価格など）を撮像するための撮像アプリケーションプログラムを読み出し、読み出された撮像アプリケーションプログラムを起動する。
【０１７９】
ステップＳ７７において、主制御部４１は、カメラインタフェース部４５を介して、ＣＣＤカメラ３０を制御し、ＲＦＩＤ７１の読み取り位置で物品３を撮像させる。ＣＣＤカメラ３０は、主制御部４１の制御に従い、ＲＦＩＤ７１の読み取り位置で物品３を撮像し、撮像された物品３の画像データ（画像信号）をカメラインタフェース部４５を介して主制御部４１に供給する。
【０１８０】
ステップＳ７８において、主制御部４１は、ＣＣＤカメラ３０からカメラインタフェース部４５を介して供給された物品３の画像データ（画像信号）を、店Ｐで販売される物品３に関する物品情報として取得し、取得された物品３の画像データを画像エンコーダ４４とＬＣＤ制御部４６に供給する。
【０１８１】
ステップＳ７９において、主制御部４１は、ＬＣＤ制御部４６を制御し、液晶ディスプレイ２７に物品３の画像データを表示させる。液晶ディスプレイ２７は、ＬＣＤ制御部４６の制御に従い、物品３の画像データを表示する。
【０１８２】
ステップＳ８０において、主制御部４１は、画像エンコーダ４４を制御し、物品３の画像データ（画像信号）を、例えばＪＰＥＧ（Joint Photographic Experts Group）などの所定の符号化方式によって圧縮符号化することにより符号化画像信号に変換させる。主制御部４１は、取得された物品３を識別するためのＩＤ情報（識別情報）、および符号化画像信号に変換された物品３の画像データを記憶部５７に所定の関連付け方法（例えば、同一の番号を付して関連付ける方法や、物品３を識別するためのＩＤ情報に物品３の画像データを添付情報として関連付ける方法など）で関連付けて記憶させる。
【０１８３】
記憶部５７は、主制御部４１の制御に従い、取得された物品３を識別するためのＩＤ情報（識別情報）、および符号化画像信号に変換された物品３の画像データを所定の関連付け方法で関連付けて記憶する。
【０１８４】
これにより、ユーザは、１回の読み取り・撮像操作で、簡単に、物品３に関する物品情報を、物品３を識別するためのＩＤ情報（識別情報）にリアルタイムに関連付けて記憶させることができる。従って、ユーザは、好みに応じて、簡単に、現在の物品３に関する物品情報（例えば、現在の物品３の品質に関する情報（萎びているか傷んでいるかなどの情報）や価格に関する情報（１パック１５０円などの情報）など）をリアルタイムに反映させることができる。従って、カメラ付ディジタル携帯電話機２でＲＦＩＤリーダ５９を用いる場合における利便性をより向上させることができる。
【０１８５】
なお、図１８の物品情報記憶処理においては、ＲＦＩＤ７１から物品３を識別するためのＩＤ情報（識別情報）を読み取るためにＲＦＩＤリーダ５９をＲＦＩＤ７１に近接させ、その読み取り位置で物品３を撮像するようにしているが、ＲＦＩＤ７１の種類によっては物品３との距離が近すぎるために、焦点を合わせにくい場合も考えられる。そこで、ＲＦＩＤリーダ５９によりＲＦＩＤ７１から物品３を識別するためのＩＤ情報（識別情報）を読み取った後、オートフォーカス機能を用いてフォーカス位置を所望の位置に合わせて、物品３を撮像するようにしてもよい。
【０１８６】
図１９のフローチャートを参照して、図４のカメラ付ディジタル携帯電話機２における他の物品情報記憶処理について説明する。なお、図１９のステップＳ９１乃至Ｓ９６、およびステップＳ９８乃至Ｓ１０１の処理は、図１８のステップＳ７１乃至Ｓ８０の処理と同様であり、その説明は繰り返しになるので省略する。
【０１８７】
ステップＳ９７において、主制御部４１は、カメラインタフェース部４５を介してＣＣＤカメラ３０を制御し、オートフォーカス機能を用いて物品３のフォーカス位置が所望の位置になるようにオートフォーカス制御を行う。
【０１８８】
その後、処理はステップＳ９８に進み、ステップＳ９７におけるオートフォーカス制御処理によるフォーカス位置で物品３の撮像が行われる。
【０１８９】
これにより、ユーザは、１回の読み取り・撮像操作で、より簡単に、物品３に関する物品情報を、物品３を識別するためのＩＤ情報（識別情報）にリアルタイムに関連付けて記憶させることができる。従って、ユーザは、好みに応じて、より簡単に、現在の物品３に関する物品情報（例えば、現在の物品３の品質に関する情報（萎びているか傷んでいるかなどの情報）や価格に関する情報（１パック１５０円などの情報）など）をリアルタイムに反映させることができる。従って、カメラ付ディジタル携帯電話機２でＲＦＩＤリーダ５９を用いる場合における利便性をより向上させることができる。
【０１９０】
なお、本発明の実施形態においては、物品情報として物品３の画像データを取得し、物品３を識別するためのＩＤ情報（識別情報）に関連付けて記憶させるようにしたが、このような場合に限られず、例えば、物品３の画像データとともにユーザの音声信号（例えば、このキャベツは中が傷んでいるとか、このスイカは中がしっかり詰まっていておいしそうなどの音声信号）をマイクロフォン２５から取得し、画像データとともに関連付けて記憶させるようにしてもよい。また、現在の物品３の価格や品質状態などを文字などにより入力し、物品３の画像データなどとともに（あるいは入力された文字情報のみで）関連付けて記憶させるようにしてもよい。さらに、物品３の画像データは動画像データでもよいし、ＧＰＳ（Global Positioning System）機能を用いて店Ｐの位置情報なども関連付けて記憶させるようにしてもよい。
【０１９１】
また、物品３を撮像する際に、店Ｐの位置情報を店Ｐなどに予め設けられた専用のＲＦＩＤ７１を用いて取得し、物品３の画像データに深情報として付加するようにしてもよい。
【０１９２】
なお、本発明の実施形態においては、無線回線としてＲＦＩＤ７１や無線ＬＡＮなど用いるようにしたが、このような場合に限られず、図示せぬ基地局を介して変復調回路部４９、送受信回路部５３、およびアンテナ５４を介して携帯電話回線を用いるようにしてもよいし、Ｂｌｕｅｔｏｏｔｈ（登録商標）や赤外線などを用いるようにしてもよい。
【０１９３】
なお、本発明は、カメラ付ディジタル携帯電話機２以外にも、ＰＤＡ（Personal Digital Assistant）、パーソナルコンピュータ、その他の情報処理装置にも適用することができる。
【０１９４】
また、本発明の実施形態において説明した一連の処理は、ソフトウェアにより実行させることもできるが、ハードウェアにより実行させることもできる。
【０１９５】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１９６】
【図１】本発明を適用した情報処理システムの概略的な構成を示す図。
【図２】本発明に係る情報処理端末の外観の構成を示す外観図。
【図３】本発明に係る情報処理端末の外観の構成を示す他の外観図。
【図４】本発明に係る情報処理端末の内部の構成を示すブロック図。
【図５】図４のＲＦＩＤリーダの内部の構成を示すブロック図。
【図６】図１の物品に貼付あるいは内蔵されるＲＦＩＤの内部の構成を示すブロック図。
【図７】図１の店内サーバの内部の構成を示すブロック図。
【図８】図１の店内に設置されたパーソナルコンピュータの内部の構成を示すブロック図。
【図９】図１のタグ管理サーバの内部の構成を示すブロック図。
【図１０】図１のユーザの自宅に設置されたパーソナルコンピュータの内部の構成を示すブロック図。
【図１１】図１のユーザの自宅に設置された冷蔵庫の内部の構成を示すブロック図。
【図１２】図４のカメラ付ディジタル携帯電話機における物品情報記憶処理について説明するフローチャート。
【図１３】図４のカメラ付ディジタル携帯電話機における物品既成情報取得処理について説明するフローチャート。
【図１４】図４のカメラ付ディジタル携帯電話機における物品既成情報取得処理に対応する、図９のタグ管理サーバにおける物品既成情報供給処理について説明するフローチャート。
【図１５】図８のパーソナルコンピュータにおける接続情報取得処理について説明するフローチャート。
【図１６】図４のカメラ付ディジタル携帯電話機における物品情報送信処理について説明するフローチャート。
【図１７】図１０のパーソナルコンピュータにおける物品情報記憶処理について説明するフローチャート。
【図１８】図４のカメラ付ディジタル携帯電話における他の物品情報記憶処理について説明するフローチャート。
【図１９】図４のカメラ付ディジタル携帯電話における他の物品情報記憶処理について説明するフローチャート。
【符号の説明】
【０１９７】
１…情報処理システム、２…カメラ付ディジタル携帯電話機、３…物品、４（４−１および４−２）…アクセスポイント、５…店内無線ＬＡＮ、６…店内サーバ、７…パーソナルコンピュータ、８…ネットワーク、９…タグ管理サーバ、１０…無線ＬＡＮ、１１…アクセスポイント、１２…パーソナルコンピュータ、１３…冷蔵庫、２１…ヒンジ、２２…第１の筐体、２３…第２の筐体、２４…操作キー、２５…マイクロフォン、２６…サイドキー、２７…液晶ディスプレイ、２８…スピーカ、２９a乃至２９d…磁気センサ、３０…ＣＣＤカメラ、３１…サブディスプレイ、３２…静電タッチパッド、４１…主制御部、４２…電源回路、４３…操作入力制御部、４４…画像エンコーダ、４５…カメラI/F部、４６…ＬＣＤ制御部、４７…画像デコーダ、４８…多重分離部、４９…変復調回路部、５０…音声コーデック、５１…メインバス、５２…同期バス、５３…送受信回路部、５４…アンテナ、５５…記録再生部、５６…メモリカード、５７…記憶部、５８…音楽制御部、５９…ＲＦＩＤリーダ、６０…無線ＬＡＮモジュール、６１…アンテナ、６２…変調部、６３…発振回路、６４…復調部、６５…ＳＰＵ、６６…バス、６７…ＣＰＵ，６８…ＲＯＭ，６９…ＲＡＭ、７０…入出力インタフェース、７１…ＲＦＩＤ、８１…アンテナ、８２…電力発生部、８３…変調部、８４…発振回路、８５…復調部、８６…ＳＰＵ、８７…バス、８８…ＣＰＵ、８９…ＲＯＭ、９１…ＣＰＵ，９２…ＲＯＭ，９３…ＲＡＭ、９４…バス、９５…入出力インタフェース、９６…入力部、９７…出力部、９８…記憶部、９９…通信部、１００…ドライブ、１０１…磁気ディスク、１０２…光ディスク、１０３…光磁気ディスク、１０４…半導体メモリ、１１１…ＣＰＵ、１１２…ＲＯＭ，１１３…ＲＡＭ、１１４…バス、１１５…入出力インタフェース、１１６…入力部、１１７…出力部、１１８…記憶部、１１９…通信部、１２０…ドライブ、１２１…磁気ディスク、１２２…光ディスク、１２３…光磁気ディスク、１２４…半導体メモリ、１３１…ＣＰＵ，１３２…ＲＯＭ，１３３…ＲＡＭ、１３４…バス、１３５…入出力インタフェース、１３６…入力部、１３７…出力部、１３８…記憶部、１３９…通信部、１４０…ドライブ、１４１…磁気ディスク、１４２…光ディスク、１４３…光磁気ディスク、１４４…半導体メモリ、１４５…物品既成情報データベース、１５１…ＣＰＵ，１５２…ＲＯＭ，１５３…ＲＡＭ、１５４…バス、１５５…入出力インタフェース、１５６…入力部、１５７…出力部、１５８…記憶部、１５９…通信部、１６０…ドライブ、１６１…磁気ディスク、１６２…光ディスク、１６３…光磁気ディスク、１６４…半導体メモリ、１７１…ＣＰＵ，１７２…ＲＯＭ，１７３…ＲＡＭ、１７４…バス、１７５…入出力インタフェース、１７６…入力部、１７７…出力部、１７８…記憶部、１７９…通信部、１８０…ＲＦＩＤリーダ、１８１…ドライブ、１８２…磁気ディスク、１８３…光ディスク、１８４…光磁気ディスク、１８５…半導体メモリ。
【図１】
2008020941.tif 000003
【図２】
2008020941.tif 000004
【図３】
2008020941.tif 000005
【図４】
2008020941.tif 000006
【図５】
2008020941.tif 000007
【図６】
2008020941.tif 000008
【図７】
2008020941.tif 000009
【図８】
2008020941.tif 000010
【図９】
2008020941.tif 000011
【図１０】
2008020941.tif 000012
【図１１】
2008020941.tif 000013
【図１２】
2008020941.tif 000014
【図１３】
2008020941.tif 000015
【図１４】
2008020941.tif 000016
【図１５】
2008020941.tif 000017
【図１６】
2008020941.tif 000018
【図１７】
2008020941.tif 000019
【図１８】
2008020941.tif 000020
【図１９】
2008020941.tif 000021